(57)【要約】      （修正有）【課題】発展型干渉管理トラフィック適応（ｅＩＭＴＡ）をサポートすることが可能なＵＥについてのチャネル状態情報（ＣＳＩ）報告および測定において発生する衝突に対処するための方法及び装置を提供する。【解決手段】ＵＥは、基地局（ＢＳ）と通信するためのアップリンク／ダウンリンクサブフレーム構成のシグナリングを受信し、少なくとも２つのサブフレームセットを示す少なくとも１つのＣＳＩ報告構成のシグナリングを受信する。ここで、各サブフレームセットが干渉測定リソース（ＩＭＲ）構成に関連する。アップリンクサブフレーム中の少なくとも２つのサブフレームセットについてのＣＳＩ報告の衝突を検出し、アップリンクサブフレーム中のＣＳＩ報告のために少なくとも２つのサブフレームセットからの１つのサブフレームセットに優先度を付け、優先度付けに基づいてアップリンクサブフレーム中でＣＳＩを報告する。【選択図】図１３
2020036326.tif 000002
【特許請求の範囲】
【請求項１】
ユーザ機器（ＵＥ）によるワイヤレス通信のための方法であって、
基地局（ＢＳ）と通信するための第１のアップリンク／ダウンリンク（ＵＬ／ＤＬ）サブフレーム構成のシグナリングを受信することと、
少なくとも２つのサブフレームセットを示す少なくとも１つのチャネル状態情報（ＣＳＩ）報告構成のシグナリングを受信することと、ここで、各サブフレームセットが干渉測定リソース（ＩＭＲ）構成に関連する、
アップリンクサブフレーム中の前記少なくとも２つのサブフレームセットについてのＣＳＩ報告の衝突を検出することと、
前記アップリンクサブフレーム中のＣＳＩ報告のために前記少なくとも２つのサブフレームセットからの１つのサブフレームセットに優先度を付けることと、
前記優先度付けに基づいて前記アップリンクサブフレーム中でＣＳＩを報告することと
を備える、方法。
【請求項２】
前記少なくとも２つのサブフレームセットが、同じＣＳＩプロセスに関連する、請求項１に記載の方法。
【請求項３】
前記アップリンクサブフレーム中の衝突の下での前記サブフレームセットの中で、最も低く設定されたサブフレームセットインデックスをもつサブフレームセットが、より高い優先度を与えられる、請求項１に記載の方法。
【請求項４】
前記ＣＳＩ報告構成が、１つまたは複数のコンポーネントキャリアのための１つまたは複数のＣＳＩプロセスからなり、ＣＳＩ報告の前記優先度付けがさらに、ＣＳＩ報告タイプ、ＣＳＩプロセスインデックス、またはコンポーネントキャリアインデックスのうちの少なくとも１つに基づく、請求項１に記載の方法。
【請求項５】
前記ＣＳＩ報告が周期的ＣＳＩ報告タイプである、請求項１に記載の方法。
【請求項６】
前記第１のＵＬ／ＤＬサブフレーム構成が、システム情報ブロック（ＳＩＢ）を介してシグナリングされる、請求項１に記載の方法。
【請求項７】
前記第１のＵＬ／ＤＬサブフレーム構成よりも動的である第２のＵＬ／ＤＬサブフレーム構成を示す指示を受信すること
をさらに備える、請求項１に記載の方法。
【請求項８】
前記衝突を前記検出することが、
前記動的にシグナリングされた第２のＵＬ／ＤＬサブフレーム構成に基づいて前記ＣＳＩ報告のためのダウンリンク参照サブフレームを決定すること
を備える、請求項７に記載の方法。
【請求項９】
前記ダウンリンク参照サブフレームがアップリンクサブフレームであると決定することと、
前記衝突の前記検出に応答してＣＳＩ報告を変更することと、ここで、前記変更することが、古いまたは範囲外のうちの少なくとも１つである値をもつ測定報告を送ること、あるいはＣＳＩ報告を省略することのうちの少なくとも１つを備える、
を備える、請求項８に記載の方法。
【請求項１０】
少なくとも２つのＩＭＲに対応する干渉測定リソースは、前記少なくとも２つのＩＭＲが周期的に発生するサブフレームに限定されるという制約を受けない、請求項１に記載の方法。
【請求項１１】
前記第１のＵＬ／ＤＬサブフレーム構成が、システム情報ブロック（ＳＩＢ）を介してシグナリングされ、
前記少なくとも２つのＩＭＲ中の第１のＩＭＲと第２のＩＭＲとのうちの少なくとも１つが、前記第１のＵＬ／ＤＬサブフレーム構成によるＤＬサブフレーム内のみにあり、
前記少なくとも２つのＩＭＲ中の前記第１のＩＭＲと前記第２のＩＭＲとのうちの少なくとも１つが、前記第１のＵＬ／ＤＬサブフレーム構成においてＤＬサブフレームでなかったＤＬサブフレーム中で前記制約を受けない、
請求項１０に記載の方法。
【請求項１２】
前記少なくとも２つのＩＭＲ中の前記第１のＩＭＲと前記第２のＩＭＲとのうちの前記少なくとも１つが、最低サブフレームセットインデックスに関連する前記第１のＵＬ／ＤＬサブフレーム構成による前記ＤＬサブフレーム内のみにある、請求項１１に記載の方法。
【請求項１３】
基地局（ＢＳ）と通信するための第１のアップリンク／ダウンリンク（ＵＬ／ＤＬ）サブフレーム構成のシグナリングを受信することと、
少なくとも２つのサブフレームセットを示す少なくとも１つのチャネル状態情報（ＣＳＩ）報告構成のシグナリングを受信することと、ここで、各サブフレームセットが干渉測定リソース（ＩＭＲ）構成に関連する、
アップリンクサブフレーム中の前記少なくとも２つのサブフレームセットについてのＣＳＩ報告の衝突を検出することと、
前記アップリンクサブフレーム中のＣＳＩ報告のために前記少なくとも２つのサブフレームセットからの１つのサブフレームセットに優先度を付けることと、
前記優先度付けに基づいて前記アップリンクサブフレーム中でＣＳＩを報告することと
を行うように構成された少なくとも１つのプロセッサと、
前記少なくとも１つのプロセッサに結合されたメモリと
を備える、ワイヤレス通信のための装置。
【請求項１４】
前記少なくとも２つのサブフレームセットが、同じＣＳＩプロセスに関連する、請求項１３に記載の装置。
【請求項１５】
前記アップリンクサブフレーム中の衝突の下での前記サブフレームセットの中で、最も低く設定されたサブフレームセットインデックスをもつサブフレームセットが、より高い優先度を与えられる、請求項１３に記載の装置。
【請求項１６】
前記ＣＳＩ報告構成が、１つまたは複数のコンポーネントキャリアのための１つまたは複数のＣＳＩプロセスからなり、ＣＳＩ報告の前記優先度付けがさらに、ＣＳＩ報告タイプ、ＣＳＩプロセスインデックス、またはコンポーネントキャリアインデックスのうちの少なくとも１つに基づく、請求項１３に記載の装置。
【請求項１７】
前記ＣＳＩ報告が周期的ＣＳＩ報告タイプである、請求項１３に記載の装置。
【請求項１８】
前記第１のＵＬ／ＤＬサブフレーム構成が、システム情報ブロック（ＳＩＢ）を介してシグナリングされる、請求項１３に記載の装置。
【請求項１９】
前記少なくとも１つのプロセッサが、
前記第１のＵＬ／ＤＬサブフレーム構成よりも動的である第２のＵＬ／ＤＬサブフレーム構成を示す指示を受信する
ようにさらに構成された、請求項１３に記載の装置。
【請求項２０】
衝突を検出するように構成された前記少なくとも１つのプロセッサが、前記動的にシグナリングされた第２のＵＬ／ＤＬサブフレーム構成に基づいて前記ＣＳＩ報告のためのダウンリンク参照サブフレームを決定する、請求項１９に記載の装置。
【請求項２１】
ダウンリンク参照サブフレームを決定するように構成された前記少なくとも１つのプロセッサは、前記ダウンリンク参照サブフレームがアップリンクサブフレームであると決定し、前記衝突の前記検出に応答してＣＳＩ報告を変更し、ここにおいて、ＣＳＩ報告を変更するように構成された前記少なくとも１つのプロセッサが、古いまたは範囲外のうちの少なくとも１つである値をもつ測定報告を送るか、あるいはＣＳＩ報告を省略するように構成された、請求項２０に記載の装置。
【請求項２２】
少なくとも２つのＩＭＲに対応する干渉測定リソースは、前記少なくとも２つのＩＭＲが周期的に発生するサブフレームに限定されるという制約を受けない、請求項１３に記載の装置。
【請求項２３】
前記第１のＵＬ／ＤＬサブフレーム構成が、システム情報ブロック（ＳＩＢ）を介してシグナリングされ、
前記少なくとも２つのＩＭＲ中の第１のＩＭＲと第２のＩＭＲとのうちの少なくとも１つが、前記第１のＵＬ／ＤＬサブフレーム構成によるＤＬサブフレーム内のみにあり、  前記少なくとも２つのＩＭＲ中の前記第１のＩＭＲと前記第２のＩＭＲとのうちの少なくとも１つが、前記第１のＵＬ／ＤＬサブフレーム構成においてＤＬサブフレームでなかったＤＬサブフレーム中で前記制約を受けない、
請求項２２に記載の装置。
【請求項２４】
前記少なくとも２つのＩＭＲ中の前記第１のＩＭＲと前記第２のＩＭＲとのうちの前記少なくとも１つが、最低サブフレームセットインデックスに関連する前記第１のＵＬ／ＤＬサブフレーム構成による前記ＤＬサブフレーム内のみにある、請求項２３に記載の装置。
【請求項２５】
基地局（ＢＳ）と通信するための第１のアップリンク／ダウンリンク（ＵＬ／ＤＬ）サブフレーム構成のシグナリングを受信するための手段と、
少なくとも２つのサブフレームセットを示す少なくとも１つのチャネル状態情報（ＣＳＩ）報告構成のシグナリングを受信するための手段と、ここで、各サブフレームセットが干渉測定リソース（ＩＭＲ）構成に関連する、
アップリンクサブフレーム中の前記少なくとも２つのサブフレームセットについてのＣＳＩ報告の衝突を検出するための手段と、
前記アップリンクサブフレーム中のＣＳＩ報告のために前記少なくとも２つのサブフレームセットからの１つのサブフレームセットに優先度を付けるための手段と、
前記優先度付けに基づいて前記アップリンクサブフレーム中でＣＳＩを報告するための手段と
を備える、ワイヤレス通信のための装置。
【請求項２６】
記憶された命令を備える非一時的コンピュータ可読媒体であって、前記命令は、
基地局（ＢＳ）と通信するための第１のアップリンク／ダウンリンク（ＵＬ／ＤＬ）サブフレーム構成のシグナリングを受信することと、
少なくとも２つのサブフレームセットを示す少なくとも１つのチャネル状態情報（ＣＳＩ）報告構成のシグナリングを受信することと、ここで、各サブフレームセットが干渉測定リソース（ＩＭＲ）構成に関連する、
アップリンクサブフレーム中の前記少なくとも２つのサブフレームセットについてのＣＳＩ報告の衝突を検出することと、
前記アップリンクサブフレーム中のＣＳＩ報告のために前記少なくとも２つのサブフレームセットからの１つのサブフレームセットに優先度を付けることと、
前記優先度付けに基づいて前記アップリンクサブフレーム中でＣＳＩを報告することと
を行うための命令を備える、非一時的コンピュータ可読媒体。
【発明の詳細な説明】
【技術分野】
【０００１】
優先権の主張
[0001]本特許出願は、両方とも本出願の譲受人に譲渡され、参照により本明細書に明確に組み込まれる、２０１４年１月７日に出願された国際出願第ＰＣＴ／ＣＮ２０１４／０７０２３３号、および２０１４年２月１１日に出願された国際出願第ＰＣＴ／ＣＮ２０１４／０７１９５２号の優先権を主張する。
【０００２】
[0002]本開示は、一般にワイヤレス通信に関し、より詳細には、複数のサブフレームセットを使用してチャネル状態情報（ＣＳＩ：channel state information）フィードバックを与えるための方法および装置に関する。
【背景技術】
【０００３】
[0003]ワイヤレス通信システムは、電話、ビデオ、データ、メッセージング、およびブロードキャストなど、様々な電気通信サービスを提供するために広く展開されている。典型的なワイヤレス通信システムは、利用可能なシステムリソース（たとえば、帯域幅、送信電力）を共有することによって複数のユーザとの通信をサポートすることが可能な多元接続技術を採用し得る。そのような多元接続技術の例としては、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムがある。
【０００４】
[0004]これらの多元接続技術は、異なるワイヤレスデバイスが都市、国家、地域、さらには地球規模で通信することを可能にする共通プロトコルを与えるために様々な電気通信規格において採用されている。新生の電気通信規格の一例はロングタームエボリューション（ＬＴＥ（登録商標））である。ＬＴＥ／ＬＴＥアドバンスト（LTE-Advanced）は、第３世代パートナーシッププロジェクト（３ＧＰＰ（登録商標）：Third Generation Partnership Project）によって公表されたユニバーサル・モバイル・テレコミュニケーションズ・システム（ＵＭＴＳ：Universal Mobile Telecommunications System）モバイル規格の拡張のセットである。ＬＴＥ／ＬＴＥアドバンストは、スペクトル効率を改善し、コストを下げ、サービスを改善し、新しいスペクトルを利用し、また、ダウンリンク（ＤＬ）上ではＯＦＤＭＡを使用し、アップリンク（ＵＬ）上ではＳＣ−ＦＤＭＡを使用し、多入力多出力（ＭＩＭＯ）アンテナ技術を使用して他のオープン規格とより良く統合することによってモバイルブロードバンドインターネットアクセスをより良くサポートするように設計されている。しかしながら、モバイルブロードバンドアクセスに対する需要が増大し続けるにつれて、ＬＴＥ技術のさらなる改善が必要である。好ましくは、これらの改善は、他の多元接続技術と、これらの技術を採用する電気通信規格とに適用可能であるべきである。
【発明の概要】
【０００５】
[0005]本開示のいくつかの態様は、ユーザ機器によるワイヤレス通信のための方法を提供する。本方法は、概して、基地局（ＢＳ）と通信するための第１のアップリンク／ダウンリンク（ＵＬ／ＤＬ）サブフレーム構成のシグナリングを受信することと、少なくとも２つのサブフレームセットを示す少なくとも１つのチャネル状態情報（ＣＳＩ：channel state information）報告構成（reporting configuration）のシグナリングを受信することと、ここで、各サブフレームセットが干渉測定リソース（ＩＭＲ：interference measurement resource）構成に関連する、アップリンクサブフレーム中の少なくとも２つのサブフレームセットについてのＣＳＩ報告の衝突を検出することと、アップリンクサブフレーム中のＣＳＩ報告のために少なくとも２つのサブフレームセットからの１つのサブフレームセットに優先度を付けること（prioritizing）と、優先度付けに基づいてアップリンクサブフレーム中でＣＳＩを報告することとを含む。
【０００６】
[0006]本開示のいくつかの態様は、ワイヤレス通信のための装置を提供する。本装置は、基地局（ＢＳ）と通信するための第１のアップリンク／ダウンリンク（ＵＬ／ＤＬ）サブフレーム構成のシグナリングを受信することと、少なくとも２つのサブフレームセットを示す少なくとも１つのチャネル状態情報（ＣＳＩ）報告構成のシグナリングを受信することと、ここで、各サブフレームセットが干渉測定リソース（ＩＭＲ）構成に関連する、アップリンクサブフレーム中の少なくとも２つのサブフレームセットについてのＣＳＩ報告の衝突を検出することと、アップリンクサブフレーム中のＣＳＩ報告のために少なくとも２つのサブフレームセットからの１つのサブフレームセットに優先度を付けることと、優先度付けに基づいてアップリンクサブフレーム中でＣＳＩを報告することとを行うように構成された少なくとも１つのプロセッサと、少なくとも１つのプロセッサに結合されたメモリとを含み得る。
【０００７】
[0007]本開示のいくつかの態様は、ワイヤレス通信のための装置を提供する。本装置は、概して、基地局（ＢＳ）と通信するための第１のアップリンク／ダウンリンク（ＵＬ／ＤＬ）サブフレーム構成のシグナリングを受信するための手段と、少なくとも２つのサブフレームセットを示す少なくとも１つのチャネル状態情報（ＣＳＩ）報告構成のシグナリングを受信するための手段と、ここで、各サブフレームセットが干渉測定リソース（ＩＭＲ）構成に関連する、アップリンクサブフレーム中の少なくとも２つのサブフレームセットについてのＣＳＩ報告の衝突を検出するための手段と、アップリンクサブフレーム中のＣＳＩ報告のために少なくとも２つのサブフレームセットからの１つのサブフレームセットに優先度を付けるための手段と、優先度付けに基づいてアップリンクサブフレーム中でＣＳＩを報告するための手段とを含む。
【０００８】
[0008]本開示のいくつかの態様は、基地局（ＢＳ）と通信するための第１のアップリンク／ダウンリンク（ＵＬ／ＤＬ）サブフレーム構成のシグナリングを受信することと、少なくとも２つのサブフレームセットを示す少なくとも１つのチャネル状態情報（ＣＳＩ）報告構成のシグナリングを受信することと、ここで、各サブフレームセットが干渉測定リソース（ＩＭＲ）構成に関連する、アップリンクサブフレーム中の少なくとも２つのサブフレームセットについてのＣＳＩ報告の衝突を検出することと、アップリンクサブフレーム中のＣＳＩ報告のために少なくとも２つのサブフレームセットからの１つのサブフレームセットに優先度を付けることと、優先度付けに基づいてアップリンクサブフレーム中でＣＳＩを報告することとを行うための命令を備える非一時的コンピュータ可読媒体を提供する。
【０００９】
[0009]態様は、概して、添付の図面に関して本明細書で実質的に説明し、添付の図面によって示されるように、方法、装置、システム、コンピュータプログラム製品、および処理システムを含む。「ＬＴＥ」は、概して、ＬＴＥおよびＬＴＥアドバンスト（ＬＴＥ−Ａ）を指す。
【図面の簡単な説明】
【００１０】
【図１】[0010]ネットワークアーキテクチャの一例を示す図。
【図２】[0011]アクセスネットワークの一例を示す図。
【図３】[0012]ＬＴＥにおけるＤＬフレーム構造の一例を示す図。
【図４】[0013]ＬＴＥにおけるＵＬフレーム構造の一例を示す図。
【図５】[0014]ユーザプレーンおよび制御プレーンのための無線プロトコルアーキテクチャの一例を示す図。
【図６】[0015]本開示のいくつかの態様による、アクセスネットワーク中の発展型ノードＢおよびユーザ機器の一例を示す図。
【図７】[0016]アップリンク／ダウンリンクサブフレーム構成のリストを示す図。
【図８】[0017]例示的なサブフレームフレームフォーマットを示す図。
【図９】[0018]本開示のいくつかの態様による、異なるＩＭＲ配置シナリオ（different IMR placement scenarios）を示す図。
【図１０】[0019]本開示のいくつかの態様による、ワイヤレス通信のための例示的な動作１０００を示す図。
【図１１】[0020]本開示のいくつかの態様による、ワイヤレス通信のための例示的な動作１１００を示す図。
【図１２】[0021]本開示のいくつかの態様による、フレキシブルサブフレーム中にＩＭＲを配置することを示す図。
【図１３】[0022]本開示のいくつかの態様による、ユーザ機器（ＵＥ）によるワイヤレス通信のための例示的な動作１３００を示す図。
【図１４】[0023]本開示のいくつかの態様による、ＵＬサブフレーム中のＣＳＩ報告のための２つのサブフレームセット間の衝突の一例を示す図。
【図１５】[0024]本開示のいくつかの態様による、測定のための有効なＤＬサブフレームが存在しないときに報告するためのオプションを示す図。
【図１６】[0025]本開示のいくつかの態様による、動的サブフレーム再構成によりＩＭＲサブフレームがＤＬからＵＬにどのように変化し得るかを示す図。
【詳細な説明】
【００１１】
[0026]場合によっては、たとえば、実際のトラフィックニーズに基づいて、および／または干渉を管理するのを助けるように、時分割複信（ＴＤＤ）ダウンリンク／アップリンク（ＤＬ／ＵＬ）サブフレーム構成が動的に適応される。この概念は、トラフィック適応のための発展型干渉管理（ｅＩＭＴＡ：evolved interference management for traffic adaption）と呼ばれることがある。
【００１２】
[0027]しかしながら、場合によっては、この適応は、チャネル状態情報（ＣＳＩ）測定および報告において問題を生じ得る。一例として、場合によっては、動的再構成により、ＣＳＩを報告する際に使用されるリソースをもつサブフレームがＤＬからＵＬに変化し得る。その結果、ＵＥは、報告するのに有効な測定値を有しないことがある。本開示の態様は、動的サブフレーム再構成をサポートすることが可能なＵＥについてのＣＳＩ測定およびＣＳＩ報告に関するそのような問題に対処するための技法を提供する。
【００１３】
[0028]添付の図面に関して以下に示す詳細な説明は、様々な構成を説明するものであり、本明細書で説明する概念が実施され得る唯一の構成を表すものではない。詳細な説明は、様々な概念の完全な理解を与えるための具体的な詳細を含む。ただし、これらの概念はこれらの具体的な詳細なしに実施され得ることが当業者には明らかであろう。いくつかの例では、そのような概念を不明瞭にしないように、よく知られている構造および構成要素をブロック図の形式で示す。
【００１４】
[0029]次に、様々な装置および方法に関して電気通信システムのいくつかの態様を提示する。これらの装置および方法について、以下の詳細な説明において説明し、（「要素」と総称される）様々なブロック、モジュール、構成要素、回路、ステップ、プロセス、アルゴリズムなどによって添付の図面に示す。これらの要素は、ハードウェア、ソフトウェア、またはそれらの組合せを使用して実装され得る。そのような要素がハードウェアとして実装されるか、ソフトウェアとして実装されるかは、特定の適用例および全体的なシステムに課される設計制約に依存する。
【００１５】
[0030]例として、要素、または要素の任意の部分、または要素の任意の組合せは、１つまたは複数のプロセッサを含む「処理システム」を用いて実装され得る。プロセッサの例としては、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、状態機械、ゲート論理、個別ハードウェア回路、および本開示全体にわたって説明する様々な機能を実行するように構成された他の好適なハードウェアがある。処理システム中の１つまたは複数のプロセッサはソフトウェアを実行し得る。ソフトウェアは、ソフトウェア／ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ファームウェア、ルーチン、サブルーチン、オブジェクト、実行ファイル、実行スレッド、プロシージャ、関数などを意味すると広く解釈されたい。
【００１６】
[0031]したがって、１つまたは複数の例示的な実施形態では、説明する機能は、ハードウェア、ソフトウェア、またはそれらの組合せで実装され得る。ソフトウェアで実装される場合、機能は、コンピュータ可読媒体上に記憶されるか、あるいはコンピュータ可読媒体上に１つまたは複数の命令またはコードとして符号化され得る。コンピュータ可読媒体はコンピュータ記憶媒体を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ（登録商標）、ＰＣＭ（相変化メモリ（phase change memory））、フラッシュメモリ、ＣＤ−ＲＯＭまたは他の光ディスクストレージ、磁気ディスクストレージ、または他の磁気ストレージデバイス、あるいは命令またはデータ構造の形態の所望のプログラムコードを搬送または記憶するために使用され得、コンピュータによってアクセスされ得る、任意の他の媒体を備えることができる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）、およびＢｌｕ−ｒａｙ（登録商標）ディスク（disc）を含み、ディスク（disk）は通常、データを磁気的に再生し、ディスク（disc）は、データをレーザーで光学的に再生する。上記の組合せもコンピュータ可読媒体の範囲内に含まれるべきである。
【００１７】
例示的なワイヤレスネットワーク
[0032]図１に、本開示の態様が実行され得るワイヤレス通信ネットワーク１００（たとえば、ＬＴＥネットワーク）を示す。たとえば、ＵＥ１０２は、ｅＩＭＴＡ  ＬＴＥベースの通信の場合のＣＳＩ報告および測定において発生する衝突に対処するために、本明細書で説明する技法を利用し得る。
【００１８】
[0033]ワイヤレス通信ネットワーク１００は発展型パケットシステム（ＥＰＳ：Evolved Packet System）１００と呼ばれることがある。ＥＰＳ１００は、１つまたは複数のユーザ機器（ＵＥ）１０２と、発展型ＵＭＴＳ地上無線アクセスネットワーク（Ｅ−ＵＴＲＡＮ：Evolved UMTS Terrestrial Radio Access Network）１０４と、発展型パケットコア（ＥＰＣ：Evolved Packet Core）１１０と、ホーム加入者サーバ（ＨＳＳ：Home Subscriber Server）１２０と、事業者のＩＰサービス１２２とを含み得る。ＥＰＳは他のアクセスネットワークと相互接続することができるが、簡単のために、それらのエンティティ／インターフェースは図示されていない。例示的な他のアクセスネットワークは、ＩＰマルチメディアサブシステム（ＩＭＳ：IP Multimedia Subsystem）ＰＤＮ、インターネットＰＤＮ、管理ＰＤＮ（administrative PDN）（たとえば、プロビジョニングＰＤＮ（Provisioning PDN））、キャリア固有のＰＤＮ、事業者固有のＰＤＮ、および／またはＧＰＳ  ＰＤＮを含み得る。図示のように、ＥＰＳはパケット交換サービスを提供するが、当業者なら容易に諒解するように、本開示全体にわたって提示する様々な概念は、回線交換サービスを提供するネットワークに拡張され得る。
【００１９】
[0034]Ｅ−ＵＴＲＡＮは、発展型ノードＢ（ｅＮＢ）１０６と他のｅＮＢ１０８とを含む。ｅＮＢ１０６は、ＵＥ１０２に対してユーザプレーンプロトコル終端と制御プレーンプロトコル終端とを与える。ｅＮＢ１０６は、Ｘ２インターフェース（たとえば、バックホール）を介して他のｅＮＢ１０８に接続され得る。ｅＮＢ１０６は、基地局、トランシーバ基地局、無線基地局、無線トランシーバ、トランシーバ機能、基本サービスセット（ＢＳＳ：basic service set）、拡張サービスセット（ＥＳＳ：extended service set）、アクセスポイント、または何らかの他の好適な用語で呼ばれることもある。ｅＮＢ１０６は、ＵＥ１０２のためにＥＰＣ１１０へのアクセスポイントを与え得る。ＵＥ１０２の例としては、セルラーフォン、スマートフォン、セッション開始プロトコル（ＳＩＰ：session initiation protocol）電話、ラップトップ、携帯情報端末（ＰＤＡ）、衛星無線、全地球測位システム、マルチメディアデバイス、ビデオデバイス、デジタルオーディオプレーヤ（たとえば、ＭＰ３プレーヤ）、カメラ、ゲーム機、タブレット、ネットブック、スマートブック、ウルトラブック（an ultrabook）、または任意の他の同様の機能デバイスがある。ＵＥ１０２は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。
【００２０】
[0035]ｅＮＢ１０６はＳ１インターフェースによってＥＰＣ１１０に接続される。ＥＰＣ１１０は、モビリティ管理エンティティ（ＭＭＥ：Mobility Management Entity）１１２と、他のＭＭＥ１１４と、サービングゲートウェイ１１６と、パケットデータネットワーク（ＰＤＮ：Packet Data Network）ゲートウェイ１１８とを含む。ＭＭＥ１１２は、ＵＥ１０２とＥＰＣ１１０との間のシグナリングを処理する制御ノードである。概して、ＭＭＥ１１２はベアラおよび接続管理を行う。すべてのユーザＩＰパケットはサービングゲートウェイ１１６を通して転送され、サービングゲートウェイ１１６自体はＰＤＮゲートウェイ１１８に接続される。ＰＤＮゲートウェイ１１８はＵＥのＩＰアドレス割振りならびに他の機能を与える。ＰＤＮゲートウェイ１１８は事業者のＩＰサービス１２２に接続される。事業者のＩＰサービス１２２は、たとえば、インターネット、イントラネット、ＩＰマルチメディアサブシステム（ＩＭＳ）、およびＰＳ（パケット交換）ストリーミングサービス（ＰＳＳ：PS Streaming Service）を含み得る。このようにして、ＵＥ１０２は、ＬＴＥネットワークを通してＰＤＮに結合され得る。
【００２１】
[0036]図２は、本開示の態様が実行され得る、ＬＴＥネットワークアーキテクチャにおけるアクセスネットワーク２００の一例を示す図である。たとえば、ＵＥ２０６は、ｅＩＭＴＡ  ＬＴＥベースの通信の場合のＣＳＩ報告および測定において発生する衝突に対処するために、本明細書で説明する技法を利用し得る。
【００２２】
[0037]図示の例では、アクセスネットワーク２００は、いくつかのセルラー領域（セル）２０２に分割される。１つまたは複数のより低い電力クラスのｅＮＢ２０８（one or more lower power class eNBs 208）は、セル２０２のうちの１つまたは複数と重複するセルラー領域２１０を有し得る。より低い電力クラスのｅＮＢ２０８は、リモートラジオヘッド（ＲＲＨ：remote radio head）と呼ばれることがある。より低い電力クラスのｅＮＢ２０８は、フェムトセル（たとえば、ホームｅＮＢ（ＨｅＮＢ））、ピコセル、またはマイクロセルであり得る。マクロｅＮＢ２０４は各々、それぞれのセル２０２に割り当てられ、セル２０２中のすべてのＵＥ２０６のためにＥＰＣ１１０へのアクセスポイントを与えるように構成される。アクセスネットワーク２００のこの例では集中コントローラはないが、代替構成では集中コントローラが使用され得る。ｅＮＢ２０４は、無線ベアラ制御、承認制御、モビリティ制御、スケジューリング、セキュリティ、およびサービングゲートウェイ１１６への接続性を含む、すべての無線関係機能を担当する。ネットワーク２００はまた、１つまたは複数のリレー（図示せず）を含み得る。一適用例によれば、ＵＥはリレーとして働き得る。
【００２３】
[0038]アクセスネットワーク２００によって採用される変調および多元接続方式は、展開されている特定の電気通信規格に応じて異なり得る。ＬＴＥ適用例では、周波数分割複信（ＦＤＤ：frequency division duplexing）と時分割複信（ＴＤＤ）の両方をサポートするために、ＯＦＤＭがＤＬ上で使用され、ＳＣ−ＦＤＭＡがＵＬ上で使用される。当業者が以下の詳細な説明から容易に諒解するように、本明細書で提示する様々な概念はＬＴＥ適用例に好適である。ただし、これらの概念は、他の変調および多元接続技法を採用する他の電気通信規格に容易に拡張され得る。例として、これらの概念は、エボリューションデータオプティマイズド（ＥＶ−ＤＯ：Evolution-Data Optimized）またはウルトラモバイルブロードバンド（ＵＭＢ）に拡張され得る。ＥＶ−ＤＯおよびＵＭＢは、ＣＤＭＡ２０００規格ファミリーの一部として第３世代パートナーシッププロジェクト２（３ＧＰＰ２：3rd Generation Partnership Project 2）によって公表されたエアインターフェース規格であり、移動局へのブロードバンドインターネットアクセスを提供するためにＣＤＭＡを採用する。これらの概念はまた、広帯域ＣＤＭＡ（Ｗ−ＣＤＭＡ（登録商標））とＴＤ−ＳＣＤＭＡなどのＣＤＭＡの他の変形態とを採用するユニバーサル地上無線アクセス（ＵＴＲＡ：Universal Terrestrial Radio Access）、ＴＤＭＡを採用するモバイル通信用グローバルシステム（ＧＳＭ（登録商標）：Global System for Mobile Communications）、ならびに、ＯＦＤＭＡを採用する、発展型ＵＴＲＡ（Ｅ−ＵＴＲＡ：Evolved UTRA）、ウルトラモバイルブロードバンド（ＵＭＢ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、およびＦｌａｓｈ−ＯＦＤＭ、に拡張され得る。ＵＴＲＡ、Ｅ−ＵＴＲＡ、ＵＭＴＳ、ＬＴＥおよびＧＳＭは３ＧＰＰ（登録商標）団体からの文書に記載されている。ＣＤＭＡ２０００およびＵＭＢは３ＧＰＰ２団体からの文書に記載されている。採用される実際のワイヤレス通信規格および多元接続技術は、特定の適用例およびシステムに課される全体的な設計制約に依存することになる。
【００２４】
[0039]ｅＮＢ２０４は、ＭＩＭＯ技術をサポートする複数のアンテナを有し得る。ＭＩＭＯ技術の使用により、ｅＮＢ２０４は、空間多重化、ビームフォーミング、および送信ダイバーシティをサポートするために空間領域を活用することが可能になる。空間多重化は、データの異なるストリームを同じ周波数上で同時に送信するために使用され得る。データストリームは、データレートを増加させるために単一のＵＥ２０６に送信されるか、または全体的なシステム容量を増加させるために複数のＵＥ２０６に送信され得る。これは、各データストリームを空間的にプリコーディングし（たとえば、振幅および位相のスケーリングを適用し）、次いでＤＬ上で複数の送信アンテナを通して空間的にプリコーディングされた各ストリームを送信することによって達成される。空間的にプリコーディングされたデータストリームは、異なる空間シグネチャとともに（１つまたは複数の）ＵＥ２０６に到着し、これにより、（１つまたは複数の）ＵＥ２０６の各々は、そのＵＥ２０６に宛てられた１つまたは複数のデータストリームを復元することが可能になる。ＵＬ上で、各ＵＥ２０６は、空間的にプリコーディングされたデータストリームを送信し、これにより、ｅＮＢ２０４は、各空間的にプリコーディングされたデータストリームのソースを識別することが可能になる。
【００２５】
[0040]空間多重化は、概して、チャネル状態が良好であるときに使用される。チャネル状態があまり良好でないときは、送信エネルギーを１つまたは複数の方向に集中させるためにビームフォーミングが使用され得る。これは、複数のアンテナを通した送信のためのデータを空間的にプリコーディングすることによって達成され得る。セルのエッジにおいて良好なカバレージを達成するために、送信ダイバーシティと組み合わせてシングルストリームビームフォーミング送信が使用され得る。
【００２６】
[0041]以下の詳細な説明では、アクセスネットワークの様々な態様について、ＤＬ上でＯＦＤＭをサポートするＭＩＭＯシステムに関して説明する。ＯＦＤＭは、ＯＦＤＭシンボル内のいくつかのサブキャリアを介してデータを変調するスペクトラム拡散（spread-spectrum）技法である。サブキャリアは正確な周波数で離間される。離間は、受信機がサブキャリアからデータを復元することを可能にする「直交性（orthogonality）」を与える。時間領域では、ＯＦＤＭシンボル間干渉をなくす（combat inter-OFDM-symbol interference）ために、ガードインターバル（a guard interval）（たとえば、サイクリックプレフィックス）が各ＯＦＤＭシンボルに追加され得る。ＵＬは、高いピーク対平均電力比（ＰＡＰＲ：peak-to-average power ratio）を補償するために、ＳＣ−ＦＤＭＡをＤＦＴ拡散ＯＦＤＭ信号の形態で使用し得る。
【００２７】
[0042]図３は、ＬＴＥにおけるＤＬフレーム構造の一例を示す図３００である。フレーム（１０ｍｓ）は、０〜９のインデックスをもつ等しいサイズの１０個のサブフレームに分割され得る。各サブフレームは、２つの連続するタイムスロットを含み得る。２つのタイムスロットを表すためにリソースグリッドが使用され得、各タイムスロットはリソースブロックを含む。リソースグリッドは複数のリソース要素に分割される。ＬＴＥでは、リソースブロックは、周波数領域中に１２個の連続するサブキャリアを含んでおり、各ＯＦＤＭシンボル中のノーマルサイクリックプレフィックスについて、時間領域中に７個の連続するＯＦＤＭシンボル、または８４個のリソース要素を含んでいる。拡張サイクリックプレフィックスについて、リソースブロックは、時間領域中に６個の連続するＯＦＤＭシンボルを含んでおり、７２個のリソース要素を有する。Ｒ３０２、Ｒ３０４として示されるリソース要素のいくつかはＤＬ基準信号（ＤＬ−ＲＳ：DL reference signal）を含む。ＤＬ−ＲＳは、（共通ＲＳと呼ばれることもある）セル固有ＲＳ（ＣＲＳ：Cell-specific RS）３０２と、ＵＥ固有ＲＳ（ＵＥ−ＲＳ：UE-specific RS）３０４とを含む。ＵＥ−ＲＳ３０４は、対応する物理ＤＬ共有チャネル（ＰＤＳＣＨ：physical DL shared channel）がマッピングされるリソースブロック上のみで送信される。各リソース要素によって搬送されるビット数は変調方式に依存する。したがって、ＵＥが受信するリソースブロックが多いほど、また変調方式が高いほど、ＵＥのためのデータレートは高くなる。
【００２８】
[0043]ＬＴＥでは、ｅＮＢは、ｅＮＢ中の各セルについて１次同期信号（ＰＳＳ：primary synchronization signal）と２次同期信号（ＳＳＳ：secondary synchronization signal）とを送り得る。１次同期信号および２次同期信号は、それぞれ、ノーマルサイクリックプレフィックス（ＣＰ：cyclic prefix）をもつ各無線フレームのサブフレーム０および５の各々中のシンボル期間６および５において送られ得る。同期信号は、セル検出および捕捉のためにＵＥによって使用され得る。ｅＮＢは、サブフレーム０のスロット１中のシンボル期間０〜３において物理ブロードキャストチャネル（ＰＢＣＨ：Physical Broadcast Channel）を送り得る。ＰＢＣＨはあるシステム情報を搬送し得る。
【００２９】
[0044]ｅＮＢは、各サブフレームの最初のシンボル期間において物理制御フォーマットインジケータチャネル（ＰＣＦＩＣＨ：Physical Control Format Indicator Channel）を送り得る。ＰＣＦＩＣＨは、制御チャネルのために使用されるシンボル期間の数（Ｍ）を搬送し得、ただし、Ｍは、１、２または３に等しくなり得、サブフレームごとに変化し得る。Ｍはまた、たとえば、リソースブロックが１０個未満である、小さいシステム帯域幅では４に等しくなり得る。ｅＮＢは、各サブフレームの最初のＭ個のシンボル期間において物理ＨＡＲＱインジケータチャネル（ＰＨＩＣＨ：Physical HARQ Indicator Channel）と物理ダウンリンク制御チャネル（ＰＤＣＣＨ：Physical Downlink Control Channel）とを送り得る。ＰＨＩＣＨは、ハイブリッド自動再送要求（ＨＡＲＱ：hybrid automatic repeat request）をサポートするための情報を搬送し得る。ＰＤＣＣＨは、ＵＥのためのリソース割振りに関する情報と、ダウンリンクチャネルのための制御情報とを搬送し得る。ｅＮＢは、各サブフレームの残りのシンボル期間において物理ダウンリンク共有チャネル（ＰＤＳＣＨ）を送り得る。ＰＤＳＣＨは、ダウンリンク上でのデータ送信のためにスケジュールされたＵＥのためのデータを搬送し得る。
【００３０】
[0045]ｅＮＢは、ｅＮＢによって使用されるシステム帯域幅の中心１．０８ＭＨｚにおいてＰＳＳ、ＳＳＳ、およびＰＢＣＨを送り得る。ｅＮＢは、これらのチャネルが送られる各シンボル期間においてシステム帯域幅全体にわたってＰＣＦＩＣＨおよびＰＨＩＣＨを送り得る。ｅＮＢは、システム帯域幅のいくつかの部分においてＵＥのグループにＰＤＣＣＨを送り得る。ｅＮＢは、システム帯域幅の特定の部分において特定のＵＥにＰＤＳＣＨを送り得る。ｅＮＢは、すべてのＵＥにブロードキャスト方式でＰＳＳ、ＳＳＳ、ＰＢＣＨ、ＰＣＦＩＣＨおよびＰＨＩＣＨを送り得、特定のＵＥにユニキャスト方法でＰＤＣＣＨを送り得、また特定のＵＥにユニキャスト方法でＰＤＳＣＨを送り得る。
【００３１】
[0046]各シンボル期間においていくつかのリソース要素が利用可能であり得る。各リソース要素（ＲＥ：resource element）は、１つのシンボル期間において１つのサブキャリアをカバーし得、実数値または複素数値であり得る１つの変調シンボルを送るために使用され得る。各シンボル期間において基準信号のために使用されないリソース要素は、リソース要素グループ（ＲＥＧ：resource element group）に構成され得る。各ＲＥＧは、１つのシンボル期間中に４つのリソース要素を含み得る。ＰＣＦＩＣＨは、シンボル期間０において、周波数にわたってほぼ等しく離間され得る、４つのＲＥＧを占有し得る。ＰＨＩＣＨは、１つまたは複数の構成可能なシンボル期間において、周波数にわたって拡散され得る、３つのＲＥＧを占有し得る。たとえば、ＰＨＩＣＨのための３つのＲＥＧは、すべてシンボル期間０に属し得るか、またはシンボル期間０、１、および２において拡散され得る。ＰＤＣＣＨは、たとえば、最初のＭ個のシンボル期間において、利用可能なＲＥＧから選択され得る、９、１８、３６、または７２個のＲＥＧを占有し得る。ＲＥＧのいくつかの組合せのみがＰＤＣＣＨに対して可能にされ得る。本方法および装置の態様において、サブフレームは、２つ以上のＰＤＣＣＨを含み得る。
【００３２】
[0047]ＵＥは、ＰＨＩＣＨおよびＰＣＦＩＣＨのために使用される特定のＲＥＧを知り得る。ＵＥは、ＰＤＣＣＨのためのＲＥＧの様々な組合せを探索し得る。探索すべき組合せの数は、一般に、ＰＤＣＣＨに対して可能にされる組合せの数よりも少ない。ｅＮＢは、ＵＥが探索することになる組合せのいずれかにおいてＵＥにＰＤＣＣＨを送り得る。
【００３３】
[0048]図４は、ＬＴＥにおけるＵＬフレーム構造の一例を示す図４００である。ＵＬのための利用可能なリソースブロックは、データセクションと制御セクションとに区分され得る。制御セクションは、システム帯域幅の２つのエッジにおいて形成され得、構成可能なサイズを有し得る。制御セクション中のリソースブロックは、制御情報を送信するためにＵＥに割り当てられ得る。データセクションは、制御セクション中に含まれないすべてのリソースブロックを含み得る。ＵＬフレーム構造は、単一のＵＥがデータセクション中の連続サブキャリアのすべてを割り当てられることを可能にし得る、連続サブキャリアを含むデータセクションを生じる。
【００３４】
[0049]ＵＥは、ｅＮＢに制御情報を送信するために、制御セクション中のリソースブロック４１０ａ、４１０ｂを割り当てられ得る。ＵＥは、ｅＮＢにデータを送信するために、データセクション中のリソースブロック４２０ａ、４２０ｂをも割り当てられ得る。ＵＥは、制御セクション中の割り当てられたリソースブロック上の物理ＵＬ制御チャネル（ＰＵＣＣＨ：physical UL control channel）中で制御情報を送信し得る。ＵＥは、データセクション中の割り当てられたリソースブロック上の物理ＵＬ共有チャネル（ＰＵＳＣＨ：physical UL shared channel）中でデータのみまたはデータと制御情報の両方を送信し得る。ＵＬ送信は、サブフレームの両方のスロットにわたり得、周波数上にわたってホッピングし得る。
【００３５】
[0050]初期システムアクセスを実行し、物理ランダムアクセスチャネル（ＰＲＡＣＨ：physical random access channel）４３０中でＵＬ同期を達成するために、リソースブロックのセットが使用され得る。ＰＲＡＣＨ４３０は、ランダムシーケンスを搬送し、いかなるＵＬデータ／シグナリングも搬送することができない。各ランダムアクセスプリアンブルは、６つの連続するリソースブロックに対応する帯域幅を占有する。開始周波数はネットワークによって指定される。すなわち、ランダムアクセスプリアンブルの送信は、ある時間リソースおよび周波数リソースに制限される。周波数ホッピングはＰＲＡＣＨにはない。ＰＲＡＣＨ試みは単一のサブフレーム（１ｍｓ）中でまたは少数の連続サブフレームのシーケンス中で搬送され、ＵＥはフレーム（１０ｍｓ）ごとに単一のＰＲＡＣＨ試みのみを行うことができる。
【００３６】
[0051]図５は、ＬＴＥにおけるユーザプレーンおよび制御プレーンのための無線プロトコルアーキテクチャの一例を示す図５００である。ＵＥおよびｅＮＢのための無線プロトコルアーキテクチャは、レイヤ１と、レイヤ２と、レイヤ３との３つのレイヤとともに示されている。レイヤ１（Ｌ１レイヤ）は最下位レイヤであり、様々な物理レイヤ信号処理機能を実装する。Ｌ１レイヤを本明細書では物理レイヤ５０６と呼ぶ。レイヤ２（Ｌ２レイヤ）５０８は、物理レイヤ５０６の上にあり、物理レイヤ５０６を介したＵＥとｅＮＢとの間のリンクを担当する。
【００３７】
[0052]ユーザプレーンでは、Ｌ２レイヤ５０８は、ネットワーク側のｅＮＢにおいて終端される、媒体アクセス制御（ＭＡＣ：media access control）サブレイヤ５１０と、無線リンク制御（ＲＬＣ：radio link control）サブレイヤ５１２と、パケットデータコンバージェンスプロトコル（ＰＤＣＰ：packet data convergence protocol）５１４サブレイヤとを含む。図示されていないが、ＵＥは、ネットワーク側のＰＤＮゲートウェイ１１８において終端されるネットワークレイヤ（たとえば、ＩＰレイヤ）と、接続の他端（たとえば、ファーエンドＵＥ、サーバなど）において終端されるアプリケーションレイヤとを含めてＬ２レイヤ５０８の上にいくつかの上位レイヤを有し得る。
【００３８】
[0053]ＰＤＣＰサブレイヤ５１４は、異なる無線ベアラと論理チャネルとの間の多重化を行う。ＰＤＣＰサブレイヤ５１４はまた、無線送信オーバーヘッドを低減するための上位レイヤデータパケットのヘッダ圧縮と、データパケットを暗号化することによるセキュリティと、ＵＥに対するｅＮＢ間のハンドオーバサポートとを与える。ＲＬＣサブレイヤ５１２は、上位レイヤデータパケットのセグメンテーションおよびリアセンブリと、紛失データパケットの再送信と、ハイブリッド自動再送要求（ＨＡＲＱ）による、順が狂った受信を補正するためのデータパケットの並べ替えとを行う。ＭＡＣサブレイヤ５１０は、論理チャネルとトランスポートチャネルとの間の多重化を行う。ＭＡＣサブレイヤ５１０はまた、ＵＥの間で１つのセル内の様々な無線リソース（たとえば、リソースブロック）を割り振ることを担当する。ＭＡＣサブレイヤ５１０はまたＨＡＲＱ動作を担当する。
【００３９】
[0054]制御プレーンでは、ＵＥおよびｅＮＢのための無線プロトコルアーキテクチャは、制御プレーンのためのヘッダ圧縮機能がないことを除いて、物理レイヤ５０６およびＬ２レイヤ５０８について実質的に同じである。制御プレーンはまた、レイヤ３（Ｌ３レイヤ）中に無線リソース制御（ＲＲＣ：radio resource control）サブレイヤ５１６を含む。ＲＲＣサブレイヤ５１６は、無線リソース（すなわち、無線ベアラ）を取得することと、ｅＮＢとＵＥとの間のＲＲＣシグナリングを使用して下位レイヤを構成することとを担当する。
【００４０】
[0055]図６は、本開示の態様が実行され得るアクセスネットワークにおいてＵＥ６５０と通信しているｅＮＢ６１０のブロック図である。たとえば、ＵＥ６５０は、ｅＩＭＴＡ  ＬＴＥベースの通信の場合のＣＳＩ報告および測定において発生する衝突に対処するために、本明細書で説明する技法を利用し得る。
【００４１】
[0056]ＤＬでは、コアネットワークからの上位レイヤパケットが、コントローラ／プロセッサ６７５に与えられる。コントローラ／プロセッサ６７５は、Ｌ２レイヤの機能を実装する。ＤＬでは、コントローラ／プロセッサ６７５は、様々な優先度メトリックに基づいて、ヘッダ圧縮と、暗号化と、パケットのセグメンテーションおよび並べ替えと、論理チャネルとトランスポートチャネルとの間の多重化と、様々な優先度メトリックに基づくＵＥ６５０への無線リソース割振りとを行う。コントローラ／プロセッサ６７５はまた、ＨＡＲＱ動作と、紛失パケットの再送信と、ＵＥ６５０へのシグナリングとを担当する。
【００４２】
[0057]ＴＸプロセッサ６１６は、Ｌ１レイヤ（すなわち、物理レイヤ）のための様々な信号処理機能を実装する。信号処理機能は、ＵＥ６５０における前方誤り訂正（ＦＥＣ：forward error correction）を容易にするためのコーディングおよびインターリービングと、様々な変調方式（たとえば、２位相シフトキーイング（ＢＰＳＫ：binary phase-shift keying）、４位相シフトキーイング（ＱＰＳＫ：quadrature phase-shift keying）、Ｍ位相シフトキーイング（Ｍ−ＰＳＫ：M-phase-shift keying）、多値直交振幅変調（Ｍ−ＱＡＭ：M-quadrature amplitude modulation））に基づいた信号コンスタレーションへのマッピングとを含む。コーディングされ、変調されたシンボルは、次いで、並列ストリームに分割される。各ストリームは、次いでＯＦＤＭサブキャリアにマッピングされ、時間領域および／または周波数領域中で基準信号（たとえば、パイロット）と多重化され、次いで逆高速フーリエ変換（ＩＦＦＴ：Inverse Fast Fourier Transform）を使用して互いに組み合わされて、時間領域ＯＦＤＭシンボルストリームを搬送する物理チャネルが生成される。ＯＦＤＭストリームは、複数の空間ストリームを生成するために空間的にプリコーディングされる。チャネル推定器６７４からのチャネル推定値は、コーディングおよび変調方式を決定するために、ならびに空間処理のために使用され得る。チャネル推定値は、ＵＥ６５０によって送信される基準信号および／またはチャネル状態フィードバックから導出され得る。各空間ストリームは、次いで、別個の送信機６１８ＴＸを介して異なるアンテナ６２０に与えられる。各送信機６１８ＴＸは、送信のためにそれぞれの空間ストリームでＲＦキャリアを変調する。
【００４３】
[0058]ＵＥ６５０において、各受信機６５４ＲＸは、それのそれぞれのアンテナ６５２を通して信号を受信する。各受信機６５４ＲＸは、ＲＦキャリア上に変調された情報を復元し、受信機（ＲＸ）プロセッサ６５６に情報を与える。ＲＸプロセッサ６５６はＬ１レイヤの様々な信号処理機能を実装する。ＲＸプロセッサ６５６は、ＵＥ６５０に宛てられた任意の空間ストリームを復元するために、情報に対して空間処理を実行する。複数の空間ストリームがＵＥ６５０に宛てられた場合、それらはＲＸプロセッサ６５６によって単一のＯＦＤＭシンボルストリームに組み合わされ得る。ＲＸプロセッサ６５６は、次いで、高速フーリエ変換（ＦＦＴ：Fast Fourier Transform）を使用してＯＦＤＭシンボルストリームを時間領域から周波数領域に変換する。周波数領域信号は、ＯＦＤＭ信号のサブキャリアごとに別々のＯＦＤＭシンボルストリームを備える。各サブキャリア上のシンボルと基準信号とは、ｅＮＢ６１０によって送信される、可能性が最も高い信号コンスタレーションポイントを決定することによって復元され、復調される。これらの軟判定は、チャネル推定器６５８によって計算されるチャネル推定値に基づき得る。軟判定は、次いで、物理チャネル上でｅＮＢ６１０によって最初に送信されたデータと制御信号とを復元するために復号され、デインターリーブされる。データおよび制御信号は、次いで、コントローラ／プロセッサ６５９に与えられる。
【００４４】
[0059]コントローラ／プロセッサ６５９はＬ２レイヤを実装する。コントローラ／プロセッサは、プログラムコードとデータとを記憶するメモリ６６０に関連付けられ得る。メモリ６６０はコンピュータ可読媒体と呼ばれることがある。ＵＬでは、制御／プロセッサ６５９は、コアネットワークからの上位レイヤパケットを復元するために、トランスポートチャネルと論理チャネルとの間の多重分離（demultiplexing）と、パケットリアセンブリと、解読（deciphering）と、ヘッダ復元（decompression）と、制御信号処理とを行う。上位レイヤパケットは、次いで、Ｌ２レイヤの上のすべてのプロトコルレイヤを表す、データシンク６６２に与えられる。また、様々な制御信号がＬ３処理のためにデータシンク６６２に与えられ得る。コントローラ／プロセッサ６５９はまた、ＨＡＲＱ動作をサポートするために肯定応答（ＡＣＫ）および／または否定応答（ＮＡＣＫ）プロトコルを使用した誤り検出を担当する。
【００４５】
[0060]ＵＬでは、データソース６６７は、コントローラ／プロセッサ６５９に上位レイヤパケットを与えるために使用される。データソース６６７は、Ｌ２レイヤの上のすべてのプロトコルレイヤを表す。ｅＮＢ６１０によるＤＬ送信に関して説明した機能と同様に、コントローラ／プロセッサ６５９は、ヘッダ圧縮と、暗号化と、パケットのセグメント化および並べ替えと、ｅＮＢ６１０による無線リソース割振りに基づいた論理チャネルとトランスポートチャネルとの間の多重化とを行うことによって、ユーザプレーンおよび制御プレーンのためのＬ２レイヤを実装する。コントローラ／プロセッサ６５９はまた、ＨＡＲＱ動作と、紛失パケットの再送信と、ｅＮＢ６１０へのシグナリングとを担当する。
【００４６】
[0061]ｅＮＢ６１０によって送信される基準信号またはフィードバックからの、チャネル推定器６５８によって導出されるチャネル推定値は、適切なコーディングおよび変調方式を選択することと、空間処理を容易にすることとを行うために、ＴＸプロセッサ６６８によって使用され得る。ＴＸプロセッサ６６８によって生成される空間ストリームは、別個の送信機６５４ＴＸを介して異なるアンテナ６５２に与えられる。各送信機６５４ＴＸは、送信のためにそれぞれの空間ストリームでＲＦキャリアを変調する。
【００４７】
[0062]ＵＬ送信は、ＵＥ６５０における受信機機能に関して説明した方法と同様の方法でｅＮＢ６１０において処理される。各受信機６１８ＲＸは、それのそれぞれのアンテナ６２０を通して信号を受信する。各受信機６１８ＲＸは、ＲＦキャリア上で変調された情報を復元し、ＲＸプロセッサ６７０にその情報を与える。ＲＸプロセッサ６７０はＬ１レイヤを実装し得る。
【００４８】
[0063]コントローラ／プロセッサ６７５はＬ２レイヤを実装する。コントローラ／プロセッサ６７５は、プログラムコードとデータとを記憶するメモリ６７６に関連付けられ得る。メモリ６７６はコンピュータ可読媒体と呼ばれることがある。ＵＬでは、制御／プロセッサ６７５は、ＵＥ６５０からの上位レイヤパケットを復元するために、トランスポートチャネルと論理チャネルとの間の多重分離と、パケットリアセンブリと、解読と、ヘッダ復元と、制御信号処理とを行う。コントローラ／プロセッサ６７５からの上位レイヤパケットはコアネットワークに与えられ得る。コントローラ／プロセッサ６７５はまた、ＨＡＲＱ動作をサポートするためにＡＣＫおよび／またはＮＡＣＫプロトコルを使用した誤り検出を担当する。
【００４９】
[0064]コントローラ／プロセッサ６７５、６５９は、本開示のいくつかの態様に従って動作するように、それぞれ、ｅＮＢ６１０およびＵＥ６５０における動作を指示し得る。たとえば、ＵＥ６５０におけるコントローラ／プロセッサ６５９および／または他のプロセッサおよびモジュールは、図１１に示されている動作１１００および／または図１３に示されている動作１３００を実行するか、あるいはＵＥにそれらの動作を実行するように指示し得る。同様に、ｅＮＢ６１０におけるコントローラ／プロセッサ６７５および／または他のプロセッサおよびモジュールは、図１０に示されている動作１０００を実行するか、あるいはｅＮＢ６１０にそれらの動作を実行するように指示し得る。
【００５０】
例示的なサブフレーム構成
[0065]図７に、ＬＴＥ  ＴＤＤのための例示的なフレーム構造７００を示す。図７に示されているように、１０ｍｓ無線フレーム７０２は、等しい長さ（たとえば、５ｍｓ）の２つのハーフ・フレーム７０４からなり、各ハーフ・フレームは、１０個のスロット、または８つのスロット（たとえば、スロット７０６）＋スペシャルサブフレーム７０８中の３つのスペシャルフィールド、ＤｗＰＴＳ（ダウンリンクパイロットタイムスロット（downlink pilot time slot））と、ＧＰ（ガード期間（guard period））と、ＵｐＰＴＳ（アップリンクパイロットタイムスロット（uplink pilot time slot））とからなる。各スロット７０６は長さが０．５ｍｓであり、２つの連続するスロットは、ちょうど１つのサブフレーム７１０を形成する。
【００５１】
[0066]無線フレーム内で、ＬＴＥ  ＴＤＤは、ダウンリンク送信とアップリンク送信との間で複数回切り替わり、その逆も同様である。ガード期間（ＧＰ）は、ダウンリンクからアップリンクに切り替わるときにＤｗＰＴＳとＵｐＰＴＳとの間に挿入される。ＧＰの持続時間は、基地局から移動局へのおよびその逆の信号伝搬時間、ならびに移動局が受信することから送ることに切り替わるのに必要な時間に依存する。個々のスペシャルフィールドの長さは、ネットワークによって選択されたアップリンク／ダウンリンク構成に依存するが、３つのスペシャルフィールドの全長は１ｍｓの一定のままである。
【００５２】
[0067]ＬＴＥ  ＴＤＤでは、送信方向は、異なるサブフレーム中でＵＬデータおよびＤＬデータを搬送することによって分離される。図８の表８００に示されているように、７つの可能なＤＬおよびＵＬサブフレーム構成がサポートされる。
【００５３】
[0068]テーブル８００の列８０２に示されているように、７つのＵＬ／ＤＬ構成はインデックス０〜６によって識別される。列８０６に示されているように、サブフレーム中の「Ｄ」はＤＬデータ送信を示し、「Ｕ」はＵＬデータ送信を示し、「Ｓ」は、図７に関して上記で説明したように、スペシャルフィールドＤｗＰＴＳとＧＰとＵｐＰＴＳとを有するスペシャルサブフレームを示す。列８０４に示されているように、２つの切替え周期性、５ｍｓおよび１０ｍｓがある。５ｍｓ周期性（たとえば、サブフレーム構成０〜２および６）の場合、図７に示されているように、１つの１０ｍｓフレーム中に２つのスペシャルサブフレームがある。１０ｍｓ周期性（たとえば、サブフレーム構成３〜５）の場合、１つのフレーム中に１つのスペシャルサブフレームがある。
【００５４】
ＬＴＥにおけるｅＩＭＴＡのための２つのサブフレームセットのＣＳＩフィードバック  [0069]動的サブフレーム構成をサポートするＵＥは、ｅＩＭＴＡの場合と同様に、ＣＳＩを測定および報告するときに、いくつかの課題を有し得る。本開示の態様は、動的サブフレーム再構成をサポートすることが可能なＵＥによるＣＳＩ報告のために使用され得る技法を提供する。
【００５５】
[0070]ＣＳＩ報告を容易にするために、いくつかの規格（たとえば、ＬＴＥリリース１１）は、ｅＮＢが干渉状態を決定するのを助け得る測定値をＵＥが報告することを可能にするＵＥ固有な干渉測定リソース（ＩＭＲ）を導入している。場合によっては、ＵＥは、ｓｕｂｆｒａｍｅＣｏｎｆｉｇパラメータおよびｒｅｓｏｕｒｃｅＣｏｎｆｉｇパラメータなどのいくつかのパラメータに基づいて別個のＩＭＲで構成され得る。ｓｕｂｆｒａｍｅＣｏｎｆｉｇパラメータは、どのサブフレームがＩＭＲを含んでいるかをシグナリングし、一緒にコーディングされた周期性およびサブフレームオフセットを有する。ｒｅｓｏｕｒｃｅＣｏｎｆｉｇパラメータは、どのリソース要素（ＲＥ）が、非ゼロ電力（ＮＺＰ：non-zero-power）チャネル状態情報基準信号（ＣＳＩ−ＲＳ：channel state information reference signal）リソースによって占有されるか（すなわち、どのパターンが使用されるか）を識別する。
【００５６】
[0071]従来のシステムでは、ＩＭＲスケジューリングは追加の制約を受け得る。たとえば、第１の制約は、１つのＵＥのために構成されたすべてのＩＭＲが、特定のＵＥのために実際に構成されることも構成されないこともある１つの仮想ゼロ電力（ＺＰ：zero-power）ＣＳＩ−ＲＳ構成のサブセットであり得るということである。第２の制約は、ＵＥのために構成された各ＩＭＲが、そのＵＥのための少なくとも１つの構成されたＺＰ  ＣＳＩ−ＲＳリソースによってカバーされ得るが、ＵＥのために構成されたＩＭＲは、必ずしも同じＺＰ  ＣＳＩ−ＲＳ構成によってカバーされなければならないとは限らないということである。
【００５７】
[0072]図９に示されているように、第１の制約は、すべてのＩＭＲが５ｍｓグリッド上に位置する（fall onto a 5ms grid）ことを要求する。たとえば、図９は、上記の第１の制約により、ＩＭＲが可能にされるときの２つのシナリオと、ＩＭＲが可能にされないときの１つのシナリオとを示している。シナリオ１において見られ得るように、２つのＩＭＲ（ＩＭＲ１およびＩＭＲ２）は、それらが両方とも同時に同じサブフレーム中に位置し、５ｍｓの倍数にあるときに可能にされ得る。シナリオ２は、ＩＭＲ１とＩＭＲ２が５ｍｓグリッド上に互い違いに配置される（staggered on a 5ms grid）とき、それらが可能にされることを示す。たとえば、ＩＭＲ１は０ｍｓに位置し（falls at 0ms）、ＩＭＲ２は５ｍｓに位置する。シナリオ３は、２つのＩＭＲが５ｍｓグリッド上に位置しないので、ＩＭＲが可能にされないときの一例を示している。
【００５８】
[0073]上述のように、ｅＩＭＴＡを使用すると、実際のトラフィックニーズに基づいて、および／または干渉管理のために、ＴＤＤ  ＤＬ／ＵＬサブフレーム構成を動的に適応させることが可能であり得る。たとえば、短い持続時間中に、ダウンリンク上で大きいデータバーストが必要とされる場合、サブフレーム構成は、たとえば、６つのＤＬサブフレームと４つのＵＬサブフレームとを有する構成＃１から、９つのＤＬサブフレームと１つのＵＬサブフレームとを有する構成＃５に変更され得る。場合によっては、ＴＤＤ構成の適応は６４０ｍｓよりも遅くならないことが予想される。極端な場合、その適応は１０ｍｓ程度に高速になり得る。
【００５９】
[0074]場合によっては、ｅＩＭＴＡの場合、２つのサブフレームセットのいずれかのための別個のチャネル状態情報（ＣＳＩ）測定／報告を可能にするために、最高２つのサブフレームセットがＵＥ固有にシグナリングされ得る。しかしながら、２つのタイプのサブフレームについてのＣＳＩ測定／報告をサポートするために、（すべてのＩＭＲが５ｍｓグリッド上に位置するという）第１のＩＭＲ制約は、ｅＩＭＴＡの場合、取り除かれる必要があり得る。したがって、少なくともｅＩＭＴＡ対応ＵＥの場合、この制約がいつ取り除かれ得るかを定義する必要があり得る。
【００６０】
[0075]図１０に、本開示の態様による、ワイヤレス通信のための例示的な動作１０００を示す。態様によれば、動作１０００は、基地局（たとえば、ｅノードＢ）によって実行され得る。
【００６１】
[0076]動作１０００は、１００２において、ユーザ機器（ＵＥ）に第１のアップリンク／ダウンリンク（ＵＬ／ＤＬ）サブフレーム構成をシグナリングすることから開始する。１００４において、ＢＳは、第２のＵＬ／ＤＬサブフレーム構成を動的にシグナリングする。１００６において、ＢＳは少なくとも第１および第２の干渉測定リソース（ＩＭＲ）でＵＥを構成し、ここにおいて、第１および第２のＩＭＲのうちの少なくとも１つは、ＩＭＲが周期的に発生するサブフレームに限定されるという制約を受けない。
【００６２】
[0077]図１１に、本開示の態様による、ワイヤレス通信のための例示的な動作１１００を示す。態様によれば、動作１１００は、ＵＥによって実行され得る。
【００６３】
[0078]動作１１００は、１１０２において、基地局（ＢＳ）と通信するための第１のアップリンク／ダウンリンク（ＵＬ／ＤＬ）サブフレーム構成のシグナリングを受信することから開始する。１１０４において、ＵＥは、ＢＳから第２のＵＬ／ＤＬサブフレーム構成の動的シグナリングを受信する。１１０６において、ＵＥは少なくとも第１および第２の干渉測定リソース（ＩＭＲ）の構成を受信し、ここにおいて、第１および第２のＩＭＲのうちの少なくとも１つは、ＩＭＲが周期的に発生するサブフレームに限定されるという制約を受けない。
【００６４】
[0079]本開示のいくつかの態様によれば、ＩＭＲに対する１つまたは複数の制約は取り除かれ得る。たとえば、場合によっては、ＩＭＲが５ｍｓグリッドに従わなければならないという制約は、ｅＩＭＴＡ対応ＵＥについて取り除かれ得る。場合によっては、この制約は、（ＵＬからＤＬおよびその逆に動的に変更され得る指示をもつサブフレームを指す）フレキシブルサブフレーム中でのみ取り除かれ得る。しかしながら、場合によっては、レガシーユーザを適用させるのを助けるために、すべてのＩＭＲが５ｍｓグリッド上に位置することを必要とし続けることは有益であり得る。
【００６５】
[0080]しかしながら、レガシーＵＥによって認識されないフレキシブルサブフレーム１２０２など、ＳＩＢ１シグナリングされた構成中で（in a SIB1 signaled configuration）ＤＬサブフレームに指定されないサブフレーム中に第２のＩＭＲ（ＩＭＲ−２）を配置することが可能であり得る。たとえば、図１２は、５ｍｓグリッドに従わないフレキシブルサブフレーム１２０２中にＩＭＲ−２を配置する（place）ことが可能であり得ることを示している。いくつかの態様によれば、非ＳＩＢ１サブフレーム中にＩＭＲ−２を配置することは、ｅＩＭＴＡをサポートすることが可能なＵＥに２つのＩＭＲ構成だけが適用することを保証し得る。
【００６６】
ＣＳＩ報告衝突処理
[0081]上述のように、ｅＩＭＴＡは、チャネル状態情報（ＣＳＩ）測定および報告において問題を生じ得る。
【００６７】
[0082]たとえば、いくつかのサブフレーム構成およびＣＳＩ報告構成の場合、異なるＣＳＩ報告プロセスのためのＣＳＩ測定値が（本明細書では「衝突」と呼ぶ）同じＵＬサブフレーム中で報告されるように構成され得る。これは、たとえば、１つのＵＬサブフレーム中で単一の報告のみが送られ得るシナリオにおいて問題を提示し得る。本開示の態様は、どの測定値が報告されるべきであるかに優先度を付けるための技法を提供する。
【００６８】
[0083]さらに、様々な理由により、ＵＥは、ＣＳＩ測定を実行するために有効なＤＬサブフレームを検出することができないことがある（または有効なＤＬサブフレームがないことがある）。たとえば、ｅＩＭＴＡにより、ＣＳＩ測定のためのリソースを搬送するように構成されたＤＬサブフレームは、ＵＬサブフレームに動的に変更され得る。本開示の態様は、現在のサブフレーム構成が現在のＣＳＩ構成に一致せず（または「衝突し」）、それにより「衝突」とも考えられ得るような場合に、ＣＳＩをどのように報告すべきかを決定するための技法を提供する。
【００６９】
[0084]図１３に、本開示の態様による、ワイヤレス通信のための例示的な動作１３００を示す。動作１３００は、たとえば、ｅＩＭＴＡをサポートすることが可能なＵＥによって実行され得る。
【００７０】
[0085]動作１３００は、１３０２において、基地局（ＢＳ）と通信するための第１のアップリンク／ダウンリンク（ＵＬ／ＤＬ）サブフレーム構成のシグナリングを受信することから開始する。１３０４において、ＵＥは、少なくとも２つのサブフレームセットを示す少なくとも１つのチャネル状態情報（ＣＳＩ）報告構成のシグナリングを受信し、ここで、各サブフレームセットは干渉測定リソース（ＩＭＲ）構成に関連する。１３０６において、ＵＥは、アップリンクサブフレーム中の少なくとも２つのサブフレームセットについてのＣＳＩ報告の衝突を検出する。１３０８において、ＵＥは、アップリンクサブフレーム中のＣＳＩ報告のために少なくとも２つのサブフレームセットからの１つのサブフレームセットに優先度を付ける。１３１０において、ＵＥは、優先度付けに基づいてアップリンクサブフレーム中でＣＳＩを報告する。
【００７１】
[0086]上記で説明したように、２つのサブフレームセットについての周期ＣＳＩ報告も、ｅＩＭＴＡの下でサポートされ得る。いくつかの態様によれば、２つのサブフレームセットについてのＣＳＩ報告間の衝突がある（すなわち、各サブフレームセットが、同じＵＬサブフレーム中で報告するように構成された）とき、サブフレームセットのうちの一方は、報告するための優先度を与えられ得る。
【００７２】
[0087]場合によっては、（再構成され得る「フレキシブル」サブフレームとは対照的に、ＤＬサブフレームとして「固定された」サブフレーム上で測定されるべきＣＳＩをもつ）固定サブフレームセットＣＳＩは、より高い優先度を与えられ得る。これは、ＰＵＣＣＨ上で送られる周期ＣＳＩ報告の場合、１つの報告のみがＰＵＣＣＨ上で送信され得、すべての他の報告がドロップされ得るので、必要であり得る。
【００７３】
[0088]本開示の態様は、周期ＣＳＩプロセス間の衝突が検出されたときの報告に優先度を付ける異なるオプションを提供する。たとえば、コンポーネントキャリア（ＣＣ：component carrier）内の衝突の場合、優先度付けは、以下の順序に基づいて実行され得る。最初に報告タイプ（たとえば、ＲＩ／ＰＴＩ／ＣＱＩ）を考慮し、次いでＣＳＩサブフレームセット（たとえば、ＣＳＩ０またはＣＳＩ１）を考慮し、次いでＣＳＩプロセスインデックスを考慮する。様々なＣＣにわたる衝突の場合、キャリアアグリゲーション（ＣＡ：carrier aggregation）を用いたｅＩＭＴＡのために、優先度付けはまた、特定のＣＣを考慮し得る。たとえば、ＣＡ  ｅＩＭＴＡのための優先度付けは、以下の順序に基づいて実行され得る。最初に報告タイプを考慮し、次いでＣＳＩサブフレームセットを考慮し、次いでＣＳＩプロセスインデックスを考慮し、最終的にＣＣインデックスを考慮する。いくつかの態様によれば、固定サブフレームについてのＣＳＩ報告はＣＳＩプロセスＩＤ＃０と見なされ得、それにより、既存の衝突処理ルールがｅＩＭＴＡのために再利用されることを可能にし得る。
【００７４】
[0089]図１４に、ＣＳＩ報告のための２つのサブフレームセット間の衝突の一例を示す。図示の例では、第１のサブフレームセット（サブフレームセット１）は１０ｍｓ報告周期性を有し、サブフレーム２、１２、２２などにおいてＣＳＩ測定値を報告するために構成される。第２のサブフレームセット（サブフレームセット２）は５ｍｓ  ＣＳＩ報告周期性を有し、サブフレーム２、７、１２、２２などにおいてＣＳＩ測定値を報告するように構成される。したがって、図示のように、サブフレームセット１および２は両方とも、サブフレーム２、１２および２２中でＣＳＩを報告するように構成され、その結果、衝突を生じる。
【００７５】
[0090]上述のように、両方のサブフレームセットが同じＵＬサブフレーム中でＣＳＩ測定値を報告するように構成されたとき、サブフレームセット間の衝突が発生し得る。この衝突を解決するために、ＵＥは、衝突するＵＬサブフレーム中のＣＳＩ報告のためにどのサブフレームセットが優先度を付けられるべきかを決定し得る。１つのサブフレームセットのみ（たとえば、サブフレームセット２）が特定のＵＬサブフレーム（たとえば、ＵＬ  ＳＦ７、１７、および２７）内でＣＳＩ測定値を報告するように構成されたとき、衝突は発生せず、ＵＥは、そのサブフレームセットについてのＣＳＩを報告し得る。
【００７６】
[0091]周期ＣＳＩ（Ｐ−ＣＳＩ：periodic CSI）報告と非周期ＣＳＩ（Ａ−ＣＳＩ：aperiodic CSI）（すなわち、非周期）報告の両方のために、ＵＥは、ＣＳＩを測定するために（基準信号のために割り振られたリソースをもつ）有効なＤＬサブフレームを必要とし得る。たとえば、ＤＬサブフレームが、特定のＵＥのためのダウンリンクサブフレームとして構成され、その特定のＵＥのための構成された測定ギャップ内に入らず、ＣＳＩ報告にリンクされたＣＳＩサブフレームセットの要素である場合、そのＤＬサブフレームは有効であると見なされ得る。いくつかの態様によれば、サービングセル中にＣＳＩ測定のための有効なダウンリンクサブフレームがない場合、（そのＣＳＩが報告されていたであろう）対応するアップリンクサブフレーム中でサービングセルについてのＣＳＩ報告が省略され得る。
【００７７】
[0092]いくつかの態様によれば、通常ＴＤＤ動作の場合、ＤＬサブフレームが有効であるかどうかを決定するパラメータは半静的に構成され得、それにより、ｅＮＢとＵＥとの間のあいまいさを低減する。しかしながら、ＴＤＤ  ｅＩＭＴＡの場合、ＵＬとＤＬとの間のサブフレーム指示の動的構成があり得る。ＵＥが動的構成のためのレイヤ１（Ｌ１）シグナリングを復号することができない場合、サブフレーム指示に関して、ｅＮＢとＵＥとの間に不整合（misalignment）が発生し、したがって、ＣＳＩ測定および報告に影響を及ぼし得る。たとえば、ｅＮＢは、ＵＥがＣＳＩ測定を行うことを予想される少なくとも１つのＤＬサブフレームを含む新しいサブフレーム構成をＵＥに動的にシグナリングし得る。しかしながら、ＵＥが動的シグナリングを適切に復号することができない場合、ＵＥは、少なくとも１つのＤＬサブフレームがＵＬサブフレームであると考えることがあり、ＣＳＩ測定を行うことができないことがある。
【００７８】
[0093]ＴＤＤ  ｅＩＭＴＡの場合、ＣＳＩ測定のための様々な手法が使用され得る。１つの手法によれば、ＵＥが再構成の明示的Ｌ１シグナリングを正しく復号し、有効なＵＬ−ＤＬ構成を検出したとき、ＵＥは、再構成の明示的Ｌ１シグナリングによってＤＬサブフレームまたはスペシャルサブフレームとして示されるサブフレーム内でのみＣＳＩを測定し得る。一方、ＵＥが無線フレームのための有効なＵＬ−ＤＬ構成を搬送するＬ１シグナリングを検出しなかった場合、ＵＥは、ＳＩＢ構成によってＤＬサブフレームまたはスペシャルサブフレームとして示されるサブフレーム内でのみＣＳＩを測定し得、それは、フォールバック動作と見なされ得る（すなわち、ＵＥがＬ１シグナリングを復号することができないとき、ＵＥはＳＩＢ構成にフォールバックし得る）。
【００７９】
[0094]しかしながら、ＣＳＩ報告に対する上記の手法は、ＵＥが有効なＵＬ／ＤＬ構成を搬送するＬ１シグナリングを検出しない場合、フレキシブルＤＬサブフレームについてのＣＳＩが省略されることになり得る。これは、ＵＥによって報告されるＣＳＩを予想するが、（たとえば、上記で説明したフォールバック動作により）ＵＥからＣＳＩ報告を実際に受信しないｅＮＢに対してあいまいさを生じ得る。これはまた、ＰＵＳＣＨデータレートマッチングが、ＣＳＩ報告のためにアグリゲートされたＣＳＩビットの数とアグリゲートされたＣＣの数とに大いに依存するので、特に、１つのＵＥのために構成された複数のコンポーネントキャリア（ＣＣ）の場合、ＣＳＩがＰＵＳＣＨ上に多重化されたとき、ＰＵＳＣＨ復号に影響を及ぼし得る。
【００８０】
[0095]いくつかの態様によれば、ＵＥは、測定すべき有効なＤＬサブフレームを有しないとき、どのように報告すべきかを決定するためのアクションを取り得る。たとえば、ＵＥは、ＣＳＩ  ＤＬ参照サブフレーム（a CSI DL reference subframe）がＤＬからＵＬに再構成されたとき、周期ＣＳＩ報告のために古いＣＳＩ測定値を送り得る。これはまた、非周期ＣＳＩ（Ａ−ＣＳＩ）報告に適用され得る。たとえば、ＵＥは、ＵＥがＡ−ＣＳＩトリガを受信し、ＣＳＩ測定参照サブフレームがＤＬからＵＬに変更されたとき、前のＣＳＩ値または範囲外（ＯＯＲ：out-of-range）ＣＳＩ値を報告し得る。しかしながら、これは、ＣＳＩ報告のための既存の条件（すなわち、ＣＳＩ測定値が有効なＤＬサブフレームに基づくという条件）に違反し得る。したがって、もっぱらＣＳＩ報告を、ＣＳＩ測定のために使用される有効なＤＬサブフレームの条件に基づかせないことは有益であり得る。
【００８１】
[0096]いくつかの態様によれば、ＵＥは、ＣＳＩ測定のための有効なＤＬサブフレームがないとき、ＣＳＩ報告を省略するか、前のＣＳＩ測定値を報告するか、または範囲外（ＯＯＲ）である値で報告し得る。この新しい定義は、ＤＬ  ＨＡＲＱ参照構成（DL HARQ reference configuration）がＣＣ固有であるマルチＣＣ（すなわち、複数のコンポーネントキャリア）にも拡張され得る。ＲＲＣ構成されたＤＬ  ＨＡＲＱ参照構成からＣＳＩ測定のための有効なＤＬサブフレームを決定することは、ＤＬ参照構成が半静的に構成されるので、ＵＥフォールバック動作中のＣＳＩ報告に関してｅＮＢとＵＥとの間の整合（alignment）を与え得る。
【００８２】
[0097]図１５に、本開示のいくつかの態様による、ＣＳＩ測定のために発生する衝突と、ＣＳＩ報告のための有効なＤＬサブフレームが存在するかどうかをＵＥがどのように決定し得るかとの一例を示す。
【００８３】
[0098]図示の例では、サブフレーム（ＳＦ）０、１、５、および６が固定ＤＬ  ＳＦであり、ＳＦ２および７が固定ＵＬ  ＳＦであると仮定する。例では、残りのサブフレームが、動的インジケータに応じてＵＬまたはＤＬであり得るフレキシブルＳＦであるとさらに仮定する。いくつかの態様によれば、フレームｎにおいて、ＵＥは、ＤＬ  ＳＦ０中のフレームｎについての動的インジケータを検出し、適切に復号し得る。ＵＥは、次いで、フレキシブルＤＬ  ＳＦ３中で測定されたＣＳＩをもつＡ−ＣＳＩをＵＬ  ＳＦ７中に報告し得る。
【００８４】
[0099]さらなる態様によれば、フレームｎ＋１において、ＵＥは、動的インジケータを復号することができないことがあり、ＳＩＢフォールバック動作に入り得、ただし、フレキシブルＳＦ３は、ＵＬであると仮定され得るが、それは、実際はｅＮＢによってＤＬとして使用される。この事例では、ＵＥは、ＣＳＩ報告のための有効なＤＬサブフレームがないと仮定し得る。ｅＮＢによって（ＳＦ３上のＣＳＩ測定のための）ＣＳＩ報告が要求されるが、有効なＤＬサブフレームが存在しないので、既存のＣＳＩ報告条件に基づいて、ＵＥは、ＳＦ７中にそのＣＳＩ報告を省略し得る。
【００８５】
[0100]しかしながら、いくつかの態様によれば、図１４に示されているように、ＳＦ３がＤＬ  ＨＡＲＱ参照構成２に基づいてＣＳＩ報告のための有効なＤＬサブフレームであるので、ＵＥはＳＦ７中でＣＳＩを報告すると知り得る。したがって、ＣＳＩ報告のための有効なＤＬサブフレームが存在しない場合でも、ＵＥは、依然として、ＳＦ３で取られるＣＳＩ測定値ではなく（たとえば、古いまたはＯＯＲである測定値をもつ）ＣＳＩ報告を送信し得る。
【００８６】
[0101]図１６に、ＵＥがｅＩＭＴＡによりＣＳＩ報告のための有効なＤＬサブフレームをどのように欠くことがあるかをさらに示す。図１４に示された例の場合と同様に、図１６に示された例は、サブフレームセット２についてのＣＳＩ測定がサブフレーム３および８中で行われる（ＩＭＲ２はＳＦ３およびＳＦ８中にある）ように構成されたと仮定する。この例はまた、ＤＬ  ＨＡＲＱ参照構成がサブフレーム構成２（ＤＳＵＤＤＤＳＵＤＤ）に基づくと仮定する。
【００８７】
[0102]第１のフレーム１６０２において、ＳＦ０〜９中でダッシュによって示されるように、ＵＥは、動的インジケータ（すなわち、Ｌ１の動的にシグナリングされたｅＩＭＴＡ構成（an L1 dynamically signaled eIMTA configuration））をまだ受信していないことがある。この場合、ＵＥは、衝突が発生したかどうかと、有効なＤＬサブフレームが存在するかどうかとを決定するために、ＳＩＢ１構成に依拠し得る。フレーム１６０２に示されているように、ＳＩＢ１構成とＤＬ  ＨＡＲＱ参照構成の両方は、サブフレーム３および８をダウンリンクサブフレームとして示す。したがって、この事例では、ＵＥは、ＣＳＩ測定のための有効なＤＬサブフレームを有する（それにより、衝突がないと見なされ得る）。したがって、ＵＥは、サブフレーム３および８中でＣＳＩを測定し、その後、それらの測定値に基づいてＣＳＩを報告し得る（たとえば、ＳＦ７およびＳＦ１２中でそれぞれ報告し得る）。
【００８８】
[0103]しかしながら、フレーム１６０４において、ＵＥは、（たとえば、ＳＦ構成＃６を示す）ｅＩＭＴＡサブフレーム構成を受信し、適切に復号する。この場合、再構成は、ＳＦ３とＳＦ８とをＤＬからＵＬに変更した。その結果、ＵＥは、ＣＳＩ報告のための有効なＤＬサブフレームを有しない。したがって、ＵＥは（動的ＳＦ構成がＣＳＩ報告構成と衝突するので）これを衝突と見なし、それに応じて報告し得る（たとえば、報告を省略するか、前の測定値を報告するか、またはＯＯＲ値を報告する）。
【００８９】
[0104]場合によっては、ＵＥは、有効なＤＬサブフレームが再び検出されるまで、このようにして報告し続け得る。たとえば、ＵＥは、ＣＳＩ測定のための衝突が存在するかどうかと、有効なＤＬサブフレームが存在するかどうかとを決定するためにｅＩＭＴＡ構成に依拠し得る。後のフレーム１６０４に示されているように、ｅＩＭＴＡ構成は、サブフレーム３および８をＤＬサブフレームに再び変更し得る（たとえば、再びＴＤＤ構成＃２に戻して変更し得る）。その結果、ＵＥは、有効な現在測定値を再び報告し得る。
【００９０】
[0105]開示したプロセスにおけるステップの特定の順序または階層は、例示的な手法の一例であることを理解されたい。設計上の選好に基づいて、プロセス中のステップの特定の順序または階層は再構成され得ることを理解されたい。さらに、いくつかのステップは組み合わせられるかまたは省略され得る。添付の方法クレームは、様々なステップの要素を例示的な順序で提示したものであり、提示された特定の順序または階層に限定されるものではない。
【００９１】
[0106]その上、「または」という用語は、排他的な「または」ではなく、包括的な「または」を意味するものとする。すなわち、別段に規定されていない限り、または文脈から明らかでない限り、たとえば、「ＸはＡまたはＢを採用する」という句は、自然包括的並べ替えのいずれかを意味するものとする。すなわち、たとえば、「ＸはＡまたはＢを採用する」という句は、ＸがＡを採用する場合、ＸがＢを採用する場合、またはＸがＡとＢの両方を採用する場合のいずれによっても満たされる。さらに、本出願および添付の特許請求の範囲で使用する冠詞「ａ」および「ａｎ」は、別段の規定がない限り、または単数形を示すことが文脈から明白でない限り、概して「１つまたは複数」を意味するものと解釈すべきである。項目のリスト「のうちの少なくとも１つ」を指す句は、個々のメンバーを含む、それらの項目の任意の組合せを指す。一例として、「ａ、ｂ、またはｃのうちの少なくとも１つ」は、ａ、ｂ、ｃ、ａ−ｂ、ａ−ｃ、ｂ−ｃ、およびａ−ｂ−ｃ、ならびに同じメンバーのうちの複数を含むそれらの項目の任意の組合せ（たとえば、ａａ、ｂｂ、ｃｃ、ａａ−ｂなど）を包含するものとする。
【００９２】
[0107]以上の説明は、当業者が本明細書で説明した様々な態様を実施できるようにするために提供したものである。これらの態様に対する様々な変更は当業者には容易に明らかであり、本明細書で定義された一般原理は他の態様に適用され得る。したがって、特許請求の範囲は、本明細書に示された態様に限定されるものではなく、特許請求の言い回しに矛盾しない全範囲を与えられるべきであり、単数形の要素への言及は、そのように明記されていない限り、「唯一無二の」を意味するものではなく、「１つまたは複数の」を意味するものである。別段に明記されていない限り、「いくつか」という用語は１つまたは複数を指す。当業者に知られている、または後に知られることになる、本開示全体にわたって説明した様々な態様の要素のすべての構造的および機能的均等物は、参照により本明細書に明確に組み込まれ、特許請求の範囲に包含されるものである。さらに、本明細書に開示したいかなることも、そのような開示が特許請求の範囲に明示的に具陳されているかどうかにかかわらず、公に供するものではない。いかなるクレーム要素も、その要素が「ための手段」という句を使用して明示的に具陳されていない限り、ミーンズプラスファンクションとして解釈されるべきではない。
【００９３】
[0108]上記で説明した方法の様々な動作は、対応する機能を実行することが可能な任意の好適な手段によって実行され得る。それらの手段は、限定はしないが、回路、特定用途向け集積回路（ＡＳＩＣ）、またはプロセッサを含む、様々な（１つまたは複数の）ハードウェアおよび／またはソフトウェア構成要素および／またはモジュールを含み得る。
【００９４】
[0109]たとえば、受信するための手段は、図６に示されたユーザ機器６５０の受信機（たとえば、受信機６５４ＲＸ）および／あるいは（１つまたは複数の）アンテナ６５２を備え得る。検出するための手段および優先度を付けるための手段は、ユーザ機器６５０のＲＸプロセッサ６５６および／またはコントローラ／プロセッサ６５９などの１つまたは複数のプロセッサを含み得る処理システムを備え得る。報告するための手段は、ユーザ機器６５０の送信機（たとえば、送信機６５４ＴＸ）および／または（１つまたは複数の）アンテナ６５２を備え得る。
【図１】
2020036326.tif 000003
【図２】
2020036326.tif 000004
【図３】
2020036326.tif 000005
【図４】
2020036326.tif 000006
【図５】
2020036326.tif 000007
【図６】
2020036326.tif 000008
【図７】
2020036326.tif 000009
【図８】
2020036326.tif 000010
【図９】
2020036326.tif 000011
【図１０】
2020036326.tif 000012
【図１１】
2020036326.tif 000013
【図１２】
2020036326.tif 000014
【図１３】
2020036326.tif 000015
【図１４】
2020036326.tif 000016
【図１５】
2020036326.tif 000017
【図１６】
2020036326.tif 000018
【手続補正書】
【提出日】令和1年10月30日(2019.10.30)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）によるワイヤレス通信のための方法であって、
基地局（ＢＳ）と通信するための第１のアップリンク／ダウンリンク（ＵＬ／ＤＬ）サブフレーム構成のシグナリングを受信することと、
少なくとも２つのサブフレームセットを示す少なくとも１つのチャネル状態情報（ＣＳＩ）報告構成のシグナリングを受信することと、ここで、各サブフレームセットが干渉測定リソース（ＩＭＲ）構成に関連する、
アップリンクサブフレーム中の前記少なくとも２つのサブフレームセットについてのＣＳＩ報告の衝突を検出することと、
前記アップリンクサブフレーム中のＣＳＩ報告のために前記少なくとも２つのサブフレームセットからの１つのサブフレームセットに優先度を付けることと、
前記優先度付けに基づいて前記アップリンクサブフレーム中でＣＳＩを報告することと
を備える、方法。
【手続補正２】
【補正対象書類名】明細書
【補正対象項目名】００９４
【補正方法】変更
【補正の内容】
【００９４】
[0109]たとえば、受信するための手段は、図６に示されたユーザ機器６５０の受信機（たとえば、受信機６５４ＲＸ）および／あるいは（１つまたは複数の）アンテナ６５２を備え得る。検出するための手段および優先度を付けるための手段は、ユーザ機器６５０のＲＸプロセッサ６５６および／またはコントローラ／プロセッサ６５９などの１つまたは複数のプロセッサを含み得る処理システムを備え得る。報告するための手段は、ユーザ機器６５０の送信機（たとえば、送信機６５４ＴＸ）および／または（１つまたは複数の）アンテナ６５２を備え得る。
以下に、本願の出願当初の特許請求の範囲に記載された発明を付記する。
［Ｃ１］
ユーザ機器（ＵＥ）によるワイヤレス通信のための方法であって、
基地局（ＢＳ）と通信するための第１のアップリンク／ダウンリンク（ＵＬ／ＤＬ）サブフレーム構成のシグナリングを受信することと、
少なくとも２つのサブフレームセットを示す少なくとも１つのチャネル状態情報（ＣＳＩ）報告構成のシグナリングを受信することと、ここで、各サブフレームセットが干渉測定リソース（ＩＭＲ）構成に関連する、
アップリンクサブフレーム中の前記少なくとも２つのサブフレームセットについてのＣＳＩ報告の衝突を検出することと、
前記アップリンクサブフレーム中のＣＳＩ報告のために前記少なくとも２つのサブフレームセットからの１つのサブフレームセットに優先度を付けることと、
前記優先度付けに基づいて前記アップリンクサブフレーム中でＣＳＩを報告することと
を備える、方法。
［Ｃ２］
前記少なくとも２つのサブフレームセットが、同じＣＳＩプロセスに関連する、Ｃ１に記載の方法。
［Ｃ３］
前記アップリンクサブフレーム中の衝突の下での前記サブフレームセットの中で、最も低く設定されたサブフレームセットインデックスをもつサブフレームセットが、より高い優先度を与えられる、Ｃ１に記載の方法。
［Ｃ４］
前記ＣＳＩ報告構成が、１つまたは複数のコンポーネントキャリアのための１つまたは複数のＣＳＩプロセスからなり、ＣＳＩ報告の前記優先度付けがさらに、ＣＳＩ報告タイプ、ＣＳＩプロセスインデックス、またはコンポーネントキャリアインデックスのうちの少なくとも１つに基づく、Ｃ１に記載の方法。
［Ｃ５］
前記ＣＳＩ報告が周期的ＣＳＩ報告タイプである、Ｃ１に記載の方法。
［Ｃ６］
前記第１のＵＬ／ＤＬサブフレーム構成が、システム情報ブロック（ＳＩＢ）を介してシグナリングされる、Ｃ１に記載の方法。
［Ｃ７］
前記第１のＵＬ／ＤＬサブフレーム構成よりも動的である第２のＵＬ／ＤＬサブフレーム構成を示す指示を受信すること
をさらに備える、Ｃ１に記載の方法。
［Ｃ８］
前記衝突を前記検出することが、
前記動的にシグナリングされた第２のＵＬ／ＤＬサブフレーム構成に基づいて前記ＣＳＩ報告のためのダウンリンク参照サブフレームを決定すること
を備える、Ｃ７に記載の方法。
［Ｃ９］
前記ダウンリンク参照サブフレームがアップリンクサブフレームであると決定することと、
前記衝突の前記検出に応答してＣＳＩ報告を変更することと、ここで、前記変更することが、古いまたは範囲外のうちの少なくとも１つである値をもつ測定報告を送ること、あるいはＣＳＩ報告を省略することのうちの少なくとも１つを備える、
を備える、Ｃ８に記載の方法。
［Ｃ１０］
少なくとも２つのＩＭＲに対応する干渉測定リソースは、前記少なくとも２つのＩＭＲが周期的に発生するサブフレームに限定されるという制約を受けない、Ｃ１に記載の方法。
［Ｃ１１］
前記第１のＵＬ／ＤＬサブフレーム構成が、システム情報ブロック（ＳＩＢ）を介してシグナリングされ、
前記少なくとも２つのＩＭＲ中の第１のＩＭＲと第２のＩＭＲとのうちの少なくとも１つが、前記第１のＵＬ／ＤＬサブフレーム構成によるＤＬサブフレーム内のみにあり、
前記少なくとも２つのＩＭＲ中の前記第１のＩＭＲと前記第２のＩＭＲとのうちの少なくとも１つが、前記第１のＵＬ／ＤＬサブフレーム構成においてＤＬサブフレームでなかったＤＬサブフレーム中で前記制約を受けない、
Ｃ１０に記載の方法。
［Ｃ１２］
前記少なくとも２つのＩＭＲ中の前記第１のＩＭＲと前記第２のＩＭＲとのうちの前記少なくとも１つが、最低サブフレームセットインデックスに関連する前記第１のＵＬ／ＤＬサブフレーム構成による前記ＤＬサブフレーム内のみにある、Ｃ１１に記載の方法。
［Ｃ１３］
基地局（ＢＳ）と通信するための第１のアップリンク／ダウンリンク（ＵＬ／ＤＬ）サブフレーム構成のシグナリングを受信することと、
少なくとも２つのサブフレームセットを示す少なくとも１つのチャネル状態情報（ＣＳＩ）報告構成のシグナリングを受信することと、ここで、各サブフレームセットが干渉測定リソース（ＩＭＲ）構成に関連する、
アップリンクサブフレーム中の前記少なくとも２つのサブフレームセットについてのＣＳＩ報告の衝突を検出することと、
前記アップリンクサブフレーム中のＣＳＩ報告のために前記少なくとも２つのサブフレームセットからの１つのサブフレームセットに優先度を付けることと、
前記優先度付けに基づいて前記アップリンクサブフレーム中でＣＳＩを報告することと
を行うように構成された少なくとも１つのプロセッサと、
前記少なくとも１つのプロセッサに結合されたメモリと
を備える、ワイヤレス通信のための装置。
［Ｃ１４］
前記少なくとも２つのサブフレームセットが、同じＣＳＩプロセスに関連する、Ｃ１３に記載の装置。
［Ｃ１５］
前記アップリンクサブフレーム中の衝突の下での前記サブフレームセットの中で、最も低く設定されたサブフレームセットインデックスをもつサブフレームセットが、より高い優先度を与えられる、Ｃ１３に記載の装置。
［Ｃ１６］
前記ＣＳＩ報告構成が、１つまたは複数のコンポーネントキャリアのための１つまたは複数のＣＳＩプロセスからなり、ＣＳＩ報告の前記優先度付けがさらに、ＣＳＩ報告タイプ、ＣＳＩプロセスインデックス、またはコンポーネントキャリアインデックスのうちの少なくとも１つに基づく、Ｃ１３に記載の装置。
［Ｃ１７］
前記ＣＳＩ報告が周期的ＣＳＩ報告タイプである、Ｃ１３に記載の装置。
［Ｃ１８］
前記第１のＵＬ／ＤＬサブフレーム構成が、システム情報ブロック（ＳＩＢ）を介してシグナリングされる、Ｃ１３に記載の装置。
［Ｃ１９］
前記少なくとも１つのプロセッサが、
前記第１のＵＬ／ＤＬサブフレーム構成よりも動的である第２のＵＬ／ＤＬサブフレーム構成を示す指示を受信する
ようにさらに構成された、Ｃ１３に記載の装置。
［Ｃ２０］
衝突を検出するように構成された前記少なくとも１つのプロセッサが、前記動的にシグナリングされた第２のＵＬ／ＤＬサブフレーム構成に基づいて前記ＣＳＩ報告のためのダウンリンク参照サブフレームを決定する、Ｃ１９に記載の装置。
［Ｃ２１］
ダウンリンク参照サブフレームを決定するように構成された前記少なくとも１つのプロセッサは、前記ダウンリンク参照サブフレームがアップリンクサブフレームであると決定し、前記衝突の前記検出に応答してＣＳＩ報告を変更し、ここにおいて、ＣＳＩ報告を変更するように構成された前記少なくとも１つのプロセッサが、古いまたは範囲外のうちの少なくとも１つである値をもつ測定報告を送るか、あるいはＣＳＩ報告を省略するように構成された、Ｃ２０に記載の装置。
［Ｃ２２］
少なくとも２つのＩＭＲに対応する干渉測定リソースは、前記少なくとも２つのＩＭＲが周期的に発生するサブフレームに限定されるという制約を受けない、Ｃ１３に記載の装置。
［Ｃ２３］
前記第１のＵＬ／ＤＬサブフレーム構成が、システム情報ブロック（ＳＩＢ）を介してシグナリングされ、
前記少なくとも２つのＩＭＲ中の第１のＩＭＲと第２のＩＭＲとのうちの少なくとも１つが、前記第１のＵＬ／ＤＬサブフレーム構成によるＤＬサブフレーム内のみにあり、  前記少なくとも２つのＩＭＲ中の前記第１のＩＭＲと前記第２のＩＭＲとのうちの少なくとも１つが、前記第１のＵＬ／ＤＬサブフレーム構成においてＤＬサブフレームでなかったＤＬサブフレーム中で前記制約を受けない、
Ｃ２２に記載の装置。
［Ｃ２４］
前記少なくとも２つのＩＭＲ中の前記第１のＩＭＲと前記第２のＩＭＲとのうちの前記少なくとも１つが、最低サブフレームセットインデックスに関連する前記第１のＵＬ／ＤＬサブフレーム構成による前記ＤＬサブフレーム内のみにある、Ｃ２３に記載の装置。
［Ｃ２５］
基地局（ＢＳ）と通信するための第１のアップリンク／ダウンリンク（ＵＬ／ＤＬ）サブフレーム構成のシグナリングを受信するための手段と、
少なくとも２つのサブフレームセットを示す少なくとも１つのチャネル状態情報（ＣＳＩ）報告構成のシグナリングを受信するための手段と、ここで、各サブフレームセットが干渉測定リソース（ＩＭＲ）構成に関連する、
アップリンクサブフレーム中の前記少なくとも２つのサブフレームセットについてのＣＳＩ報告の衝突を検出するための手段と、
前記アップリンクサブフレーム中のＣＳＩ報告のために前記少なくとも２つのサブフレームセットからの１つのサブフレームセットに優先度を付けるための手段と、
前記優先度付けに基づいて前記アップリンクサブフレーム中でＣＳＩを報告するための手段と
を備える、ワイヤレス通信のための装置。
［Ｃ２６］
記憶された命令を備える非一時的コンピュータ可読媒体であって、前記命令は、
基地局（ＢＳ）と通信するための第１のアップリンク／ダウンリンク（ＵＬ／ＤＬ）サブフレーム構成のシグナリングを受信することと、
少なくとも２つのサブフレームセットを示す少なくとも１つのチャネル状態情報（ＣＳＩ）報告構成のシグナリングを受信することと、ここで、各サブフレームセットが干渉測定リソース（ＩＭＲ）構成に関連する、
アップリンクサブフレーム中の前記少なくとも２つのサブフレームセットについてのＣＳＩ報告の衝突を検出することと、
前記アップリンクサブフレーム中のＣＳＩ報告のために前記少なくとも２つのサブフレームセットからの１つのサブフレームセットに優先度を付けることと、
前記優先度付けに基づいて前記アップリンクサブフレーム中でＣＳＩを報告することと
を行うための命令を備える、非一時的コンピュータ可読媒体。
【外国語明細書】
2020036326000001.pdf